(57)【要約】【課題】非接触型ＩＣカードに記録したデータの改ざんを防止するとともに、非接触型ＩＣカードを安定した状態で配送する配送体を提供する。【解決手段】配送体たる封書２１は、宛名人表示片３と差出人表示片４とからなる金属箔シート５を折り用ミシン目２で二つ折りして重ね合わせ、重ね合わせ面を、通常では接着せず所定の圧を加えると接着し、接着後に剥離可能で、剥離後には再接着困難な感圧性接着剤６で剥離可能に接着する一方、金属箔シート５の差出人表示片４には、非接触型ＩＣカード１１を切り用ミシン目１０で切り取り可能に区画形成してなる。【選択図】      図３
2004291286.tif 000002
【特許請求の範囲】
【請求項１】
複数枚の電磁シールドシートを重ね合わせ、重ね合わせ面を、通常では接着せず所定の圧を加えると接着し、接着後に剥離可能で、剥離後には再接着困難な感圧性接着剤で剥離可能に接着する一方、前記電磁シールドシートの少なくとも１枚には、非接触型ＩＣカードを切り取り可能に区画形成してなることを特徴とする非接触型ＩＣカード配送体。
【発明の詳細な説明】
【０００１】
【発明の属する技術分野】
本発明は、非接触型ＩＣカードを郵便や宅配便で配送するための配送体に関する。
【０００２】
【従来の技術】
従来から、電磁シールド部材を用いた非接触型ＩＣカードを配送するための収納体は知られている（例えば、特許文献１，２参照）。
【０００３】
【特許文献１】
特開平１１−４５３１６号公報
【特許文献２】
特開平１１−３４８４７１号公報
【０００４】
【発明が解決しようとする課題】
ところが、従来の収納体は、ケース状や冊子状に構成されているので、非接触型ＩＣカードを郵便や宅配便を利用して送付する際には、別途荷造りしなければならないため、この荷造り作業が煩雑であり、また、配送作業中に非接触型ＩＣカードがケース内や冊子内で動いてしまうため、安定した状態で配送できないという不都合がある。本発明はこのような従来の不都合を解消した非接触型ＩＣカードの配送体を提供することを目的とする。
【０００５】
【課題を解決するための手段】
上述した目的を達成するために、本発明の請求項１に記載した非接触型ＩＣカードの配送体は、複数枚の電磁シールドシートを重ね合わせ、重ね合わせ面を、通常では接着せず所定の圧を加えると接着し、接着後に剥離可能で、剥離後には再接着困難な感圧性接着剤で剥離可能に接着する一方、前記電磁シールドシートの少なくとも１枚には非接触型ＩＣカードを切り用ミシン目等によって切り取り可能に区画形成してなるものである。
【０００６】
このように、電磁シールドシートを剥離可能に重ね合わせてなる配送体の少なくとも１枚の電磁シールドシートに、非接触型ＩＣカードを切り取り可能に区画形成したので、前記非接触型ＩＣカードが配送中に動くことがなく、また非接触型ＩＣカードの切り取りも容易である。
【０００７】
【発明の実施形態】
以下、本発明を封書に適用した場合の好適な実施形態について、添付図面に基づき詳細に説明する。ここにおいて、図１は封書用紙の表出面側の概略的な平面図、図２はそのＡ−Ａ線断面図、図３は作成した封書の概略的な断面図、図４は切り取った非接触型ＩＣカードの概略的な平面図である。
【０００８】
まず、封書とするための封書用紙について説明する。図１及び図２に示すように、封書２１（図３参照）を作成するための封書用紙１は、折り用ミシン目２を境として、宛名人表示片３とカード形成片を兼ねる差出人表示片４を連接してなる、電磁シールドシートたる金属箔シート５を備えている。この金属箔シート５は、アルミニウム、銅、鉄などの金属、パーマロイ等の合金、フェライト等をシート状に形成したり、前記金属等をポリエチレンフィルム、ポリエチレンテレフタレートフィルムなどに蒸着、スパッタリング、貼着等して形成することができる。また、金属箔シート５に換えて、繊維状プラスチックに金属繊維を混合したものをシート状に圧縮して形成した電磁シールドシートを使用することもできる。
【０００９】
図２に示すように、金属箔シート５の重ね合わせ面には、後述する保護フィルム１２に対応する部分を除いて、通常では接着せず所定の圧を加えると接着可能となり、接着後に剥離可能で、剥離後には再接着困難であり、好ましくは印字あるいは印刷が可能な感圧性接着剤６を塗布している。この感圧性接着剤６としては、好ましくは印字あるいは印刷が可能であって、感圧性で一旦接着すると再剥離不能な非剥離性の接着剤基剤に、この接着剤基剤に対して非親和性を示す微粒状充てん剤を配合してなるものが好適である。
【００１０】
前記接着剤基剤としては、従来用いられている通常の感圧性接着剤でよいが、特に挙げれば、天然ゴムにスチレンとメタクリル酸メチルとをグラフト共重合させて得られた天然ゴムラテックスが、耐ブロッキング性、耐熱性、耐摩耗性等の点で好適である。
【００１１】
一方、微粒状充てん剤としては、接着剤基剤との親和力が小さいもの、例えば、酸化亜鉛、酸化チタン、炭酸カルシウム、カオリン、活性白土、球状アルミナ、小麦デンプン、シリカ、ガラス粉末、シラスバルーン等が用いられる。これらの材料は、単独でも、複数組み合わせてもよいが、特に、シリカと他の適宜な充てん剤との組み合わせが好適である。また、粒径の異なる２種類以上を組み合わせると、接着剤塗布面を凹凸状に形成しやすいので、剥離性能が向上する。シリカを添加すると、接着剤の塗膜を強化しうるとともに、その多孔質性により、接着剤が表面に付着しやすいので、接着力や剥離力を調整しやすいという利点がある。
【００１２】
上述した微粒状充てん剤の配合割合によって、感圧性接着剤６による接着面の剥離強度を調整する。また、微粒状充てん剤の配合割合による調整に加えて、感圧性接着剤６を網点状に塗布したり、塗布厚を調整したり、あるいは地紋印刷を施して調整を行うと、剥離強度の調整はより容易となる。感圧性接着剤６の具体例としては、天然ゴム１００重量部に対し、スチレン２重量部とメタクリル酸１０重量部とをグラフト共重合させて得られた天然ゴムラテックスに、テルペン樹脂系粘着付与剤５重量部に対し、平均粒径５μｍのシリカゲル２０重量部を添加したものを加えてなるものが好適である。
【００１３】
また、図１に示すように、宛名人表示片３の表出面側には宛名人情報７と剥離開始端指示表示８をあらかじめ印字し、差出人表示片４の表出面側には差出人情報９をあらかじめ印字している。なお、金属箔シート５が印字適性に劣る場合には、宛名人情報７、剥離開始端指示表示８あるいは差出人情報９を別途ラベルに印字し、このラベルを前記金属箔シート５に貼着すればよい。さらに、感圧性接着剤６が印字適性を有する場合には、図示してはいないが、前記宛名人表示片３の重ね合わせ面側に、適宜な伝達情報や案内情報などを印字することができる。
【００１４】
図１及び図２で理解できるように、差出人表示片４には切り用ミシン目１０で区画形成した非接触型ＩＣカード１１を設け、この非接触型ＩＣカード１１のＩＣチップ（図示せず）やアンテナ線（図示せず）の実装面である重ね合わせ面には、保護フィルム１２を貼着して前記ＩＣチップや前記アンテナ線の保護をより確実なものとしている。前記切り用ミシン目１０は前記保護フィルム１２にも及んでいる。また、前記非接触型ＩＣカード１１の前記保護フィルム１２面側には、カード名１３（図４参照）が表示されている。
【００１５】
上述の封書用紙１を折り用ミシン目２で折り重ねたうえ、前記非接触型ＩＣカード１１の形状に対応する凹部を設けた加圧ロール（図示せず）で、前記非接触型ＩＣカード１１に凹部が対応位置するよう前記加圧ロールを回転制御して、感圧性接着剤６の接着条件である所定の圧を加えると、重ね合わせ面が前記感圧性接着剤６によって接着された状態となり、図３に示す封書２１となる。そして、前記加圧ロールには前記非接触型ＩＣカード１１の形状に対応する凹部を設け、この凹部が前記非接触型ＩＣカード１１に対応位置するよう前記加圧ロールを回転制御するので、前記非接触型ＩＣカード１１には圧力はかからず、破損することはない。
【００１６】
この封書２１は、金属箔シート５によって非接触型ＩＣカード１１のＩＣチップやアンテナ線への電磁波の影響を遮断できるので、前記非接触型ＩＣカード１１に記録したデータの改ざんを防止でき、また、一般の封書と同様に投函可能である。そして、前記非接触型ＩＣカード１１は、郵送中に動くことがなく、安定した状態で郵送される。
【００１７】
この封書２１を受領した宛名人情報７として表示された宛名人は、剥離開始端指示表示８にしたがい、宛名人表示片３と差出人表示片４とを相対的に引き離すと、これら紙片３，４の重ね合わせ接着面が剥離し、前記非接触型ＩＣカード１１の保護フィルム１２側が露出する。ここで、宛名人は切り用ミシン目１０を破断し、前記非接触型ＩＣカード１１を金属箔シート５から切り取って、図４状態として使用することができる。
【００１８】
なお、本発明は上述した実施形態に限定されるものではなく、例えば、封書２１は二つ折りではなく、封書用紙を三つ折りして構成してもよく、この場合には、三片のうち少なくとも一片に非接触型ＩＣカード１１を切り用ミシン目１０で区画形成すればよい。また、本発明の配送体は郵送する封書２１に限らず、宅配便で配送する際に使用される収納体にも適用可能である。
【００１９】
【発明の効果】
以上説明したところで明らかなように、本発明に係る配送体によれば、非接触型ＩＣカードに記録したデータの改ざんを防止できるとともに、非接触型ＩＣカードを、安定した状態で配送することができるほか、必要に応じて重ね合わせ面に文書などの適宜な物を挟んで、一緒に配送できるという効果を奏する。
【図面の簡単な説明】
【図１】封書用紙の表出面側の概略的な平面図。
【図２】図１のＡ−Ａ線断面図。
【図３】封書の概略的な断面図。
【図４】切り取った非接触型ＩＣカードを示す平面図。
【符号の説明】
１      封書用紙
２      折り用ミシン目
３      宛名人表示片
４      差出人表示片
５      金属箔シート
６      感圧性接着剤
７      宛名人情報
８      差出人情報
９      剥離開始端指示表示
１０      切り用ミシン目
１１      非接触型ＩＣカード
１２      保護フィルム
【図１】
2004291286.tif 000003
【図２】
2004291286.tif 000004
【図３】
2004291286.tif 000005
【図４】
2004291286.tif 000006